(57)【特許請求の範囲】
【請求項１】
複数のシリンドリカルレンズの配列により構成されたレンチキュラーシートと画像形成層が積層して構成され、前記レンチキュラーシートの前記シリンドリカルレンズの凸形状を有する側から前記画像形成層に形成された画像を移動、又は、移動及び変形を伴う虚像として観察可能に構成した画像表示シートと、基材とからなる画像表示体であって、
前記レンチキュラーシートは、前記画像形成層が前記シリンドリカルレンズの焦点面に位置するよう所定の厚さを有し、
前記画像表示シートの前記画像形成層には、前記シリンドリカルレンズと作用して前記虚像を表示させるための複数の虚像観察用画像が、各前記シリンドリカルレンズと略一対一に対応するよう繰り返し形成されており、
前記虚像観察用画像は、被観察対象の前記虚像の前記シリンドリカルレンズ及び前記虚像観察用画像の配列方向におけるサイズを縮小した画像であって、
前記シリンドリカルレンズの配列ピッチ長と、前記画像形成層に繰り返し形成された前記虚像観察用画像のピッチ長が１０％以下の範囲で異なり、
前記基材と前記画像表示シートが積層して構成されることを特徴とする画像表示体。
【請求項２】
複数の平凸レンズの配列により構成された平凸レンズシートと画像形成層が積層して構成され、前記平凸レンズシートの前記平凸レンズの凸形状を有する側から前記画像形成層に形成された画像を移動、又は、移動及び変形を伴う虚像として観察可能に構成した画像表示シートと、基材とからなる画像表示体であって、  
前記平凸レンズシートは、前記画像形成層が前記平凸レンズの焦点面に位置するよう所定の厚さを有し、
前記画像表示シートの前記画像形成層には、前記平凸レンズと作用して前記虚像を表示させるための複数の虚像観察用画像が、各前記平凸レンズと略一対一に対応するよう繰り返し形成されており、
前記平凸レンズの水平方向の配列ピッチ長と、前記画像形成層に繰り返し形成された前記虚像観察用画像の水平方向のピッチ長が１０％以下の範囲で異なり、かつ、
前記平凸レンズの垂直方向の配列ピッチ長と、前記画像形成層に繰り返し形成された前記虚像観察用画像の垂直方向のピッチ長が１０％以下の範囲で異なり、
前記基材と前記画像表示シートが積層して構成されることを特徴とする画像表示体。
【請求項３】
前記基材が有する凹部に前記画像表示シートが取り付けられることを特徴とする請求項１又は２に記載の画像表示体。
【請求項４】
複数のシリンドリカルレンズの配列により構成されたレンチキュラーシートと画像形成層が積層して構成され、前記レンチキュラーシートの前記シリンドリカルレンズの凸形状を有する側から前記画像形成層に形成された画像を移動、又は、移動及び変形を伴う虚像として観察可能に構成した画像表示シートと、基材とからなる画像表示体であって、
前記レンチキュラーシートは、前記画像形成層が前記シリンドリカルレンズの焦点面に位置するよう所定の厚さを有し、
前記画像表示シートの前記画像形成層には、前記シリンドリカルレンズと作用して前記虚像を表示させるための複数の虚像観察用画像が、各前記シリンドリカルレンズと略一対一に対応するよう繰り返し形成されており、
前記虚像観察用画像は、被観察対象の前記虚像の前記シリンドリカルレンズ及び前記虚像観察用画像の配列方向におけるサイズを縮小した画像であって、
前記シリンドリカルレンズの配列ピッチ長と、前記画像形成層に繰り返し形成された前記虚像観察用画像のピッチ長が１０％以下の範囲で異なり、
前記基材は切抜き加工された取付け部を有し、
前記取付け部に前記画像表示シートが取り付けられることを特徴とする画像表示体。
【請求項５】
複数の平凸レンズの配列により構成された平凸レンズシートと画像形成層が積層して構成され、前記平凸レンズシートの前記平凸レンズの凸形状を有する側から前記画像形成層に形成された画像を移動、又は、移動及び変形を伴う虚像として観察可能に構成した画像表示シートと、基材とからなる画像表示体であって、
前記平凸レンズシートは、前記画像形成層が前記平凸レンズの焦点面に位置するよう所定の厚さを有し、
前記画像表示シートの前記画像形成層には、前記平凸レンズと作用して前記虚像を表示させるための複数の虚像観察用画像が、各前記平凸レンズと略一対一に対応するよう繰り返し形成されており、
前記平凸レンズの水平方向の配列ピッチ長と、前記画像形成層に繰り返し形成された前記虚像観察用画像の水平方向のピッチ長が１０％以下の範囲で異なり、かつ、
前記平凸レンズの垂直方向の配列ピッチ長と、前記画像形成層に繰り返し形成された前記虚像観察用画像の垂直方向のピッチ長が１０％以下の範囲で異なり、
前記基材は切抜き加工された取付け部を有し、
前記取付け部に前記画像表示シートが取り付けられることを特徴とする画像表示体。
【請求項６】
前記画像表示シートの剥離を防止する剥離防止層を有し、
前記画像表示シートの一部又は全部と前記剥離防止層が積層されることを特徴とする請求項１乃至５のいずれか一項に記載の画像表示体。
【発明の詳細な説明】
【技術分野】
【０００１】
本発明は、画像表示体に関し、特に、シリンドリカルレンズ又は平凸レンズと画像に基づいた移動、又は、移動及び変形を伴う虚像を観察可能な画像表示シートを備える画像表示体に関する。
【背景技術】
【０００２】
観察者の視覚を利用することによって、画像を移動、又は、移動及び変形を伴うムービング、チェンジング等の虚像として観察できる画像表示シートがある。画像表示シートは、複数のシリンドリカルレンズの配列により構成されたレンチキュラーシートと、画像形成層により構成される。
【０００３】
図２３は、従来公知の画像表示シートの説明図である。（Ａ）はレンチキュラーの基本特性を示す説明図であり、（Ｂ）はレンチキュラーの基本原理を示す概略説明図である。シリンドリカレンズの凸形状を有する面と反対の面に画像形成層を配し、レンズの側から画像を疑似動的に観察可能としている。右目用画像と左目用画像をストライプ状に配置することにより、立体視画像や観察者が見る角度を変えることにより画像を動いているように見せるチェンジング画像が観察できる。図２４は従来公知の画像表示シートの説明図である。（Ａ）は従来公知の画像表示シートの断面説明図であり、（Ｂ）は画像形成層の平面図である。画像形成層には複数の原画Ａ，Ｂ，Ｃ，Ｄをストライプ状に分割した画像が形成されている。図２４は、右眼用画像と左眼用画像を各レンズに対して所定幅で分割した例である。視線を移動させていくと、ある位置ではＡ画像が見え、ある位置ではＢ画像が見え、ある位置ではＣ画像がみえ、ある位置ではＤ画像が見えるというように、観察者が見る角度を変えることにより画像を動いているように見える。
【０００４】
また、特許文献１には、複数の原画をストライプ状に分割して一枚の画像とし、見る角度によって異なる絵柄が見えるよう構成する際に、凸レンズのピッチの境界と画像の分割境界を一致させる技術が開示されている。特許文献２には、左眼用画像と右眼用画像を、各レンズに対して所定幅の短冊状切片に分割し、インターレース状に並べることにより疑似的可変画像を観察する技術が開示されている。
【先行技術文献】
【特許文献】
【０００５】
【特許文献１】特開２００３−３４４８０７号公報
【特許文献２】特開２０１０−０４４２１３号公報
【発明の概要】
【発明が解決しようとする課題】
【０００６】
レンチキュラーを使用したムービング、チェンジング等の視覚効果は、一定範囲の観察視点内では、単一の画像を観察し、次に観察視点の角度を変えて一定範囲を超えると次の画像が観察される。このように、観察角度変化に応じて、次々と異なる画像を観察させる構成となっている。このとき、角度変化に応じて順次観察される画像が、人物、動物などの動作、拡大、縮小、変形を伴う適宜の動画的表現をデザインすることにより、あたかも動画を観察しているかのような視覚効果を得ることが可能になる。図２５は、従来技術による実際の画像表示シートである。図２５のシートでは目玉の虚像が観察できる。見る角度を変えて視線を移動していくと、画像がコマ送り画像のように移動して見える。観察者にとっては、スムーズな動きではなく、角度変化に応じて虚像が飛び飛びで見えるため、違和感を持つという問題がある。特に、このような画像表示シートをパッケージ、パネル、ポスター等の画像表示体に貼り付ける等して利用する場合、飛び飛びに動くため違和感が大きい。なお、図２５は本願出願人による特許出願（特願２０１０−９６４７６）の添付図面（図２１）に相当し、鮮明な印刷物を物件提出している。
【０００７】
本発明の目的は、このような問題等に鑑みて、スムーズな疑似的動画像を実現し、かつ違和感を減縮させて観察することが可能な画像表示シートを備えた画像表示体を提供することにある。
【課題を解決するための手段】
【０００８】
本発明の画像表示体は、複数のシリンドリカルレンズの配列により構成されたレンチキュラーシートと画像形成層が積層して構成され、前記レンチキュラーシートの前記シリンドリカルレンズの凸形状を有する側から前記画像形成層に形成された画像を移動、又は、移動及び変形を伴う虚像として観察可能に構成した画像表示シートと、基材とからなる画像表示体であって、前記レンチキュラーシートは、前記画像形成層が前記シリンドリカルレンズの焦点面に位置するよう所定の厚さを有し、前記画像表示シートの前記画像形成層には、前記シリンドリカルレンズと作用して前記虚像を表示させるための複数の虚像観察用画像が、各前記シリンドリカルレンズと略一対一に対応するよう繰り返し形成されており、前記虚像観察用画像は、被観察対象の前記虚像の前記シリンドリカルレンズ及び前記虚像観察用画像の配列方向におけるサイズを縮小した画像であって、前記シリンドリカルレンズの配列ピッチ長と、前記画像形成層に繰り返し形成された前記虚像観察用画像のピッチ長が１０％以下の範囲で異なり、前記基材と前記画像表示シートが積層して構成されることを特徴とする。
【０００９】
本発明の画像表示体は、複数の平凸レンズの配列により構成された平凸レンズシートと画像形成層が積層して構成され、前記平凸レンズシートの前記平凸レンズの凸形状を有する側から前記画像形成層に形成された画像を移動、又は、移動及び変形を伴う虚像として観察可能に構成した画像表示シートと、基材とからなる画像表示体であって、前記平凸レンズシートは、前記画像形成層が前記平凸レンズの焦点面に位置するよう所定の厚さを有し、前記画像表示シートの前記画像形成層には、前記平凸レンズと作用して前記虚像を表示させるための複数の虚像観察用画像が、各前記平凸レンズと略一対一に対応するよう繰り返し形成されており、前記平凸レンズの水平方向の配列ピッチ長と、前記画像形成層に繰り返し形成された前記虚像観察用画像の水平方向のピッチ長が１０％以下の範囲で異なり、かつ、前記平凸レンズの垂直方向の配列ピッチ長と、前記画像形成層に繰り返し形成された前記虚像観察用画像の垂直方向のピッチ長が１０％以下の範囲で異なり、前記基材と前記画像表示シートが積層して構成されることを特徴とする。
【００１０】
前記基材が有する凹部に前記画像表示シートが取り付けられるよう構成してもよい。
【００１１】
本発明の画像表示体は、複数のシリンドリカルレンズの配列により構成されたレンチキュラーシートと画像形成層が積層して構成され、前記レンチキュラーシートの前記シリンドリカルレンズの凸形状を有する側から前記画像形成層に形成された画像を移動、又は、移動及び変形を伴う虚像として観察可能に構成した画像表示シートと、基材とからなる画像表示体であって、前記レンチキュラーシートは、前記画像形成層が前記シリンドリカルレンズの焦点面に位置するよう所定の厚さを有し、前記画像表示シートの前記画像形成層には、前記シリンドリカルレンズと作用して前記虚像を表示させるための複数の虚像観察用画像が、各前記シリンドリカルレンズと略一対一に対応するよう繰り返し形成されており、前記虚像観察用画像は、被観察対象の前記虚像の前記シリンドリカルレンズ及び前記虚像観察用画像の配列方向におけるサイズを縮小した画像であって、前記シリンドリカルレンズの配列ピッチ長と、前記画像形成層に繰り返し形成された前記虚像観察用画像のピッチ長が１０％以下の範囲で異なり、前記基材は切抜き加工された取付け部を有し、前記取付け部に前記画像表示シートが取り付けられることを特徴とする。
【００１２】
本発明の画像表示体は、複数の平凸レンズの配列により構成された平凸レンズシートと画像形成層が積層して構成され、前記平凸レンズシートの前記平凸レンズの凸形状を有する側から前記画像形成層に形成された画像を移動、又は、移動及び変形を伴う虚像として観察可能に構成した画像表示シートと、基材とからなる画像表示体であって、前記平凸レンズシートは、前記画像形成層が前記平凸レンズの焦点面に位置するよう所定の厚さを有し、前記画像表示シートの前記画像形成層には、前記平凸レンズと作用して前記虚像を表示させるための複数の虚像観察用画像が、各前記平凸レンズと略一対一に対応するよう繰り返し形成されており、前記平凸レンズの水平方向の配列ピッチ長と、前記画像形成層に繰り返し形成された前記虚像観察用画像の水平方向のピッチ長が１０％以下の範囲で異なり、かつ、前記平凸レンズの垂直方向の配列ピッチ長と、前記画像形成層に繰り返し形成された前記虚像観察用画像の垂直方向のピッチ長が１０％以下の範囲で異なり、前記基材は切抜き加工された取付け部を有し、前記取付け部に前記画像表示シートが取り付けられることを特徴とする。
【００１３】
前記画像表示シートの剥離を防止する剥離防止層を有し、前記画像表示シートの一部又は全部と前記剥離防止層が積層されるよう構成してもよい。
【発明の効果】
【００１４】
本発明によれば、スムーズに移動し、又は、スムーズに移動及び変形をする疑似的動画像を実現し、かつ違和感を減縮させて観察することが可能な画像表示シートを備えた画像表示体を実現できる。
【図面の簡単な説明】
【００１５】
【図１】（Ａ）は第一実施形態による画像表示体の断面図である。（Ｂ）は第二実施形態による画像表示体の断面図である。（Ｃ）は第三実施形態による画像表示体の断面図である。（Ｄ）は第四実施形態による画像表示体の断面図である。（Ｅ）は第五実施形態による画像表示体の断面図である。（Ｆ）は第六実施形態による画像表示体の断面図である。（Ｇ）は第七実施形態による画像表示体の断面図である。（Ｈ）は第八実施形態による画像表示体の断面図である。（Ｉ）は第九実施形態による画像表示体の断面図である。（Ｊ）は第十実施形態による画像表示体の断面図である。（Ｋ）は第十一実施形態による画像表示体の断面図である。
【図２】（Ａ）第四実施形態による基材の説明図である。（Ｂ）第七実施形態による基材の説明図である。
【図３】（Ａ）ブロー成形による画像表示体の成形方法を示す図である。図３（Ｂ）射出成形による画像表示体の成形方法を示す図である。
【図４】本発明の画像表示体の使用例図である。
【図５】画像表示体に備える画像表示シートの断面図である。
【図６】画像表示体に備える画像表示シートの構成説明図である。（Ａ）はレンチキュラーシートの断面説明図であり、（Ｂ）は画像形成層の平面図である。
【図７】画像表示体に備える画像表示シートの平面図である。
【図８】虚像の説明図である。
【図９】実際の画像表示シートである。
【図１０】他の実施形態１による画像表示シートの構成説明図である。（Ａ）はレンチキュラーシートの各シリンドリカルレンズ５ａと、画像６ａ及び６ｂの対応説明図であり、（Ｂ）は画像６ｂのピッチ長計測の説明図である。
【図１１】他の実施形態１による虚像の説明図である。
【図１２】他の実施形態１による実際の画像表示シートである。
【図１３】他の実施形態２による画像表示シートの断面図である。
【図１４】他の実施形態３による画像表示シートの構成説明図である。（Ａ）は画像表示シートの断面図であり、（Ｂ）は画像形成層の平面図である。
【図１５】他の実施形態４による画像表示シートの断面図である。
【図１６】他の実施形態４による画像表示シートの構成説明図である。（Ａ）は平凸レンズシートの平面図であり、（Ｂ）は画像形成層の平面図である。
【図１７】他の実施形態４による虚像の構成説明図である。
【図１８】他の実施形態４による虚像の構成説明図である。
【図１９】他の実施形態５による画像表示シートの画像形成層の平面図である。
【図２０】他の実施形態６による画像表示シートの画像形成層の平面図である。
【図２１】他の実施形態７による画像表示シートの構成説明図である。（Ａ）は画像表示シートの断面図であり、（Ｂ）はレンチキュラーシートのフォーカスの様子を示す要部断面図であり、（Ｃ）は平凸レンズの配置が異なる画像表示シートの例である。
【図２２】他の実施形態８による画像表示シートの構成説明図である。（Ａ）は画像表示シートの断面図であり、（Ｂ）はメニスカスレンズの配置が異なる画像表示シートの例である。
【図２３】従来公知の画像表示シートの説明図である。
【図２４】従来公知の画像表示シートの説明図である。
【図２５】従来技術による実際の画像表示シートである。
【発明を実施するための形態】
【００１６】
本発明の画像表示体について、図面を参照して説明する。なお、画像表示体に備える画像表示シートについては、後に図面を用いて詳述する。
【００１７】
図１（Ａ）は、第一実施形態による画像表示体の断面図である。
【００１８】
第一実施形態による画像表示体１０００は、画像表示シート１００１と、基材１００２を必須の構成として形成される。
【００１９】
画像表示シート１００１は、複数のシリンドリカルレンズから成るレンチキュラーシート又は複数の平凸レンズの配列により構成された平凸レンズシートと、画像形成層を必須の構成とし、シリンドリカルレンズ又は平凸レンズと、画像形成層に形成された虚像観察画像と、に基づいて、スムーズな虚像を観察可能にするものである。基材１００２上に、画像表示シート１００１の凸形状を有する面と反対側の面、すなわち、シリンドリカルレンズ又は平凸レンズを有する面と反対側の面が接着又は粘着等により貼り付けられる。ただし、基材１００２上に画像表示シート１００１２を取り付けることができれば貼付には限定されない。
【００２０】
基材１００２は、画像表示シート１００１を貼り付けるためのものである。基材１００２の材料は、例えば、コート紙、合成紙、上質紙、中質紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、木材、金属あるいはそれらの複合体等が用いられる。基材１００２の材料は、従来からパンフレット、ポスター、パッケージ、人形、おもちゃ、雑貨、機械器具等に用いられている材料であれば特に限定されない。基材１００２の材料は、画像表示シート１００に要求される強度や用途等に応じて適宜選択することができる。
【００２１】
画像表示シート１００１と、基材１００２との積層方法は、画像表示シート１００１及び基材１００２の材料に応じて、周知の接着又は粘着などの方法を用いて行われる。観察者が画像表示シート１０００１の凸形状を有する側（図１（Ａ）において上方）から画像表示シート１００１の虚像を観察できればよい。
【００２２】
図１（Ｂ）は、第二実施形態による画像表示体の断面図である。
【００２３】
第二実施形態による画像表示体２０００は、画像表示シート２００１と、基材２００２と剥離防止層２００３を必須の構成として形成される。なお、上述した実施形態と同様の構成については記載を省略する。
【００２４】
画像表示シート２００１は、基材２００２上の予め位置決めされた箇所に、画像表示シート２００１の凸形状を有する面と反対側の面、すなわち、シリンドリカルレンズ又は平凸レンズを有する面と反対側の面が接着又は粘着等により貼り付けられる。ただし、基材２００２上の決められた位置に画像表示シート２００１を取り付けることができれば貼付には限定されない。また、基材２００２上の決められた位置に画像表示シート２００１を単に載置するだけでもよい。画像表示シート２００１のその他の構成は上述した画像表示シート１００１と同様であるため説明を省略する。
【００２５】
基材２００２は、画像表示シート２００１を貼り付けるためのものである。基材２００２上には画像表示シート２００１の貼り付け位置が予め決められている。基材２００２のその他の構成は上述した基材１００２と同様であるため説明を省略する。
【００２６】
剥離防止層２００３は、画像表示シート２００１が基材２００２から剥がれることを防止するためのものである。画像表示シート２００１の端部を画像表示シート２００１の上方から覆うよう構成されている。剥離防止層２００３の材料は、例えば、ポリエチレンテレフタレートフィルム、ポリエチレンフィルム、ポリプロピレンフィルム、ポリカーボネートフィルム等のプラスチックフィルム、木材、金属あるいはそれらの複合体等が用いられる。画像表示シート２００１の端部も観察できるようにするためには、剥離防止層２００３は透明であることが好ましい。画像表示シート２００１の端部が見えないようにするためには、剥離防止層２００３は少なくとも暗色であるか又は不透明であることが好ましい。
【００２７】
画像表示シート２００１と、基材２００２と、剥離防止層２００３の積層方法は、画像表示シート２００１、基材２００２、剥離防止層２００３の材料に応じて、周知の接着又は粘着などの方法を用いて行われる。観察者が画像表示シート２００１の凸形状を有する側（図１（Ｂ）において上方）から画像表示シート２００１の虚像を観察できればよい。
【００２８】
図１（Ｃ）は、第三実施形態による画像表示体の断面図である。
【００２９】
第三実施形態による画像表示体３０００は、画像表示シート３００１と、基材３００２と剥離防止層３００３を必須の構成として形成される。なお、上述した実施形態と同様の構成については記載を省略する。
【００３０】
画像表示シート３００１は、基材３００２上の予め位置決めされた箇所に、画像表示シート３００１の凸形状を有する面と反対側の面、すなわち、シリンドリカルレンズ又は平凸レンズを有する面と反対側の面が接着又は粘着等により貼り付けられる。ただし、基材３００２上の決められた位置に画像表示シート３００１を取り付けることができれば貼付には限定されない。また、基材３００２上の決められた位置に画像表示シート３００１を単に載置するだけでもよい。画像表示シート３００１のその他の構成は上述した画像表示シート１００１と同様であるため説明を省略する。
【００３１】
基材３００２は、画像表示シート３００１を貼り付けるためのものである。基材３００２上には画像表示シート３００１の貼り付け位置が予め決められている。基材３００２のその他の構成は上述した基材１００２と同様であるため説明を省略する。
【００３２】
剥離防止層３００３は、画像表示シート３００１が基材３００２から剥がれることを防止するためのものである。画像表示シート３００１の端部を画像表示シート３００１の上方から覆うよう構成されている。剥離防止層３００３の画像表示シート３００１を覆う部分以外の部分は、基材３００２上に貼り付けられる。これにより、剥離防止層３００３を安定的に構成することができるので、画像表示シート３００１の安定性も向上する。剥離防止層３００３の材料は、例えば、ポリエチレンテレフタレートフィルム、ポリエチレンフィルム、ポリプロピレンフィルム、ポリカーボネートフィルム等のプラスチックフィルム、木材、金属、あるいはそれらの複合体等が用いられる。画像表示シート３００１の端部も観察できるようにするためには、剥離防止層３００３は透明であることが好ましい。画像表示シート３００１の端部が見えないようにするためには、剥離防止層３００３は少なくとも暗色であるか又は不透明であることが好ましい。
【００３３】
画像表示シート３００１と、基材３００２と、剥離防止層３００３の積層方法は、画像表示シート３００１、基材３００２、剥離防止層３００３の材料に応じて、周知の接着又は粘着などの方法を用いて行われる。観察者が画像表示シート３００１の凸形状を有する側（図１（Ｃ）において上方）から画像表示シート３００１の虚像を観察できればよい。
【００３４】
図１（Ｄ）は、第四実施形態による画像表示体の断面図である。
【００３５】
第四実施形態による画像表示体４０００は、画像表示シート４００１と、基材４００２と剥離防止層４００３を必須の構成として形成される。なお、上述した実施形態と同様の構成については記載を省略する。
【００３６】
画像表示シート４００１は、基材４００２の取付け部４００２ａに、画像表示シート４００１の凸形状を有する面と反対側の面、すなわち、シリンドリカルレンズ又は平凸レンズを有する面と反対側の面が接着又は粘着等により貼り付けられる。基材４００２の取付け部４００２ａに、画像表示シート４００１の側面部を接着又は粘着等により貼り付けてもよい。ただし、基材４００２上の取付け部４００２ａに画像表示シート４００１を取り付けることができれば貼付には限定されない。また、取付け部４００２ａの凹部に画像表示シート４００１を単に載置するだけでもよい。画像表示シート４００１のその他の構成は上述した画像表示シート１００１と同様であるため説明を省略する。
【００３７】
基材４００２は、画像表示シート４００１を貼り付けるためのものである。基材４００２のその他の構成は上述した基材１００２と同様であるため説明を省略する。
【００３８】
剥離防止層４００３は、画像表示シート４００１が基材４００２から剥がれることを防止するためのものである。画像表示シート４００１の端部を画像表示シート４００１の上方から覆うよう構成されている。剥離防止層４００３の画像表示シート４００１を覆う部分以外の部分は、基材４００２上に貼り付けられる。これにより、剥離防止層４００３を安定的に構成することができるので、画像表示シート４００１の安定性も向上する。画像表示シート４００１の端部も観察できるようにするためには、剥離防止層４００３は透明であることが好ましい。画像表示シート４００１の端部が見えないようにするためには、剥離防止層４００３は少なくとも暗色であるか又は不透明であることが好ましい。剥離防止層４００３のその他の構成は上述した剥離防止層３００３と同様であるため説明を省略する。
【００３９】
図２（Ａ）は基材４００２の説明図である。基材４００２は凹部を備える。具体的には、基材４００２はエンボス加工等により凹形状に成形された取付け部４００２ａを備える。取付け部４００２ａに画像表示シート４００１が載置される。取付け部４００２ａに画像表示シート４００１を貼り付けてもよい。  
【００４０】
画像表示シート４００１と、基材４００２と、剥離防止層４００３の積層方法は、画像表示シート４００１、基材４００２、剥離防止層４００３の材料に応じて、周知の接着又は粘着などの方法を用いて行われる。観察者が画像表示シート４００１の凸形状を有する側（図１（Ｄ）において上方）から画像表示シート４００１の虚像を観察できればよい。
【００４１】
図１（Ｅ）は、第五実施形態による画像表示体の断面図である。
【００４２】
第五実施形態による画像表示体５０００は、画像表示シート５００１と、基材５００２と剥離防止層５００３を必須の構成として形成される。なお、上述した実施形態と同様の構成については記載を省略する。
【００４３】
画像表示シート５００１は、基材５００２の取付け部５００２ａに、画像表示シート５００１の凸形状を有する面と反対側の面、すなわち、シリンドリカルレンズ又は平凸レンズを有する面と反対側の面が接着又は粘着等により貼り付けられる。画像表示シート５００１の側面部を貼り付けてもよい。ただし、基材５００２上の取付け部５００２ａに画像表示シート５００１を取り付けることができれば貼付には限定されない。また、取付け部５００２ａの凹部に画像表示シート５００１を単に載置するだけでもよい。画像表示シート５００１のその他の構成は上述した画像表示シート１００１と同様であるため説明を省略する。
【００４４】
基材５００２は、画像表示シート５００１を貼り付けるためのものである。基材５００２は凹部を備える。具体的には、基材５００２は、エンボス加工等により凹形状に成形された取付け部５００２ａを備え、取付け部５００２ａに画像表示シート５００１が載置される。取付け部５００２ａに画像表示シート５００１を貼り付けてもよい。基材５００２の構成等については、図２（Ａ）に図示した基材４００２と同様であるため図示及び説明を省略する。また、基材５００２の材料等その他の構成は上述した基材１００２と同様であるため説明を省略する。
【００４５】
剥離防止層５００３は、画像表示シート５００１が基材５００２から剥がれることを防止するためのものである。剥離防止層５００３は、画像表示シート５００１上を覆うよう構成されている。剥離防止層５００３の端部は基材５００２上に張り付けられる。これにより、剥離防止層５００３を安定的に構成することができるので、画像表示シート５００１の安定性も向上する。剥離防止層５００３は、画像表示シート５００１の虚像の観察を妨げてはならないため透明である。剥離防止層５００３の材料は、例えば、ポリエチレンテレフタレートフィルム、ポリエチレンフィルム、ポリプロピレンフィルム、ポリカーボネートフィルム等のプラスチックフィルム、あるいはそれらの複合体等が用いられる。
【００４６】
画像表示シート５００１と、基材５００２と、剥離防止層５００３の積層方法は、画像表示シート５００１、基材５００２、剥離防止層５００３の材料に応じて、周知の接着又は粘着などの方法を用いて行われる。観察者が画像表示シート５００１の凸形状を有する側（図１（Ｅ）において上方）から画像表示シート５００１の虚像を観察できればよい。
【００４７】
図１（Ｆ）は、第六実施形態による画像表示体の断面図である。
【００４８】
第六実施形態による画像表示体６０００は、画像表示シート６００１と基材６００２を必須の構成として形成される。なお、上述した実施形態と同様の構成については記載を省略する。
【００４９】
画像表示シート６００１は、基材６００２の取付け部６００２ａに、画像表示シート６００１の凸形状を有する面と反対側の面、すなわち、シリンドリカルレンズ又は平凸レンズを有する面と反対側の面が接着又は粘着等により貼り付けられる。画像表示シート６００１の側面部を貼り付けてもよい。ただし、基材６００２上の取付け部６００２ａに画像表示シート６００１を取り付けることができれば貼付には限定されない。画像表示シート６００１のその他の構成は上述した画像表示シート１００１と同様であるため説明を省略する。
【００５０】
基材６００２は、画像表示シート６００１を貼り付けるためのものである。基材６００２の構成等については、図２（Ａ）に図示した基材４００２と同様であるため図示及び説明を省略する。また、基材６００２の材料等その他の構成は上述した基材１００２と同様であるため説明を省略する。
【００５１】
画像表示シート６００１と、基材６００２との積層方法は、画像表示シート６００１、基材６００２の材料に応じて、周知の接着又は粘着などの方法を用いて行われる。観察者が画像表示シート６００１の凸形状を有する側（図１（Ｆ）において上方）から画像表示シート６００１の虚像を観察できればよい。また、図１（Ｆ）に示すように、エンボス加工により凹形状に成形された取付け部６００２ａの深度は、画像表示シート６００１の高さよりも浅い深度となるよう構成しても、深い深度となるよう構成してもよい。
【００５２】
図１（Ｇ）は、第七実施形態による画像表示体の断面図である。
【００５３】
第七実施形態による画像表示体７０００は、画像表示シート７００１と基材７００２を必須の構成として形成される。なお、上述した実施形態と同様の構成については記載を省略する。
【００５４】
画像表示シート７００１は、基材７００２の取付け部７００２ａに、画像表示シート７００１の側面が接着又は粘着等により貼り付けられる。ただし、基材７００２上の取付け部７００２ａに画像表示シート７００１を取り付けることができれば貼付には限定されない。画像表示シート７００１のその他の構成は上述した画像表示シート１００１と同様であるため説明を省略する。
【００５５】
基材７００２は、画像表示シート７００１を貼り付けるためのものである。基材７００２のその他の構成は上述した基材１００２と同様であるため説明を省略する。図２（Ｂ）は基材７００２の説明図である。基材７００２は、画像表示シート７００１の貼り付け位置が切抜き加工された取り付け部７００２ａを備える。取付け部７００２ａに画像表示シート７００１の側面が貼り付けられる。
【００５６】
観察者が画像表示シート７００１の凸形状を有する側（図１（Ｇ）において上方）から画像表示シート７００１の虚像を観察できれば、画像表示シート７００１の側面と基材７００２をどのように貼り付けてもよい。
【００５７】
図１（Ｈ）は、第八実施形態による画像表示体の断面図である。
【００５８】
第八実施形態による画像表示体８０００は、画像表示シート８００１と基材８００２と剥離防止層８００３を必須の構成として形成される。なお、上述した実施形態と同様の構成については記載を省略する。
【００５９】
画像表示シート８００１は、剥離防止層８００３に、画像表示シート８００１の凸形状を有する面と反対側の面が接着又は粘着等により貼り付けられる。ただし、剥離防止層８００３に画像表示シート８００１を取り付けることができれば貼付には限定されない。画像表示シート８００１のその他の構成は上述した画像表示シート１００１と同様であるため説明を省略する。
【００６０】
基材８００２は、画像表示シート８００１が配置される箇所が切抜き加工された取り付け部８００２ａを備える。取付け部８００２ａに画像表示シート８００１の側面が貼り付けられても良い。基材８００２の構成等については、図２（Ｂ）に図示した基材７００２と同様であるため図示を省略する。また、基材８００２の材料等その他の構成は上述した基材１００２と同様であるため説明を省略する。
【００６１】
剥離防止層８００３は、画像表示シート８００１が基材８００２から剥がれることを防止するためのものである。剥離防止層８００３上に、画像表示シート８００１の凸形状を有する面と反対側の面が積層される。剥離防止層８００３の端部は基材８００２に貼り付けられる。これにより、剥離防止層８００３を安定的に構成することができるので、画像表示シート８００１の安定性も向上する。剥離防止層８００３の材料は、例えば、ポリエチレンテレフタレートフィルム、ポリエチレンフィルム、ポリプロピレンフィルム、ポリカーボネートフィルム等のプラスチックフィルム、木材、金属あるいはそれらの複合体等が用いられる。剥離防止層８００３は透明でも不透明でもよい。
【００６２】
観察者が画像表示シート８００１の凸形状を有する側（図１（Ｈ）において上方）から画像表示シート８００１の虚像を観察できれば、画像表示シート８００１の側面と基材８００２、剥離防止層８００３と画像表示シート８００１をどのように貼り付けてもよい。また、基材８００２の取付け部８００２ａに、画像表示シート８００１の側面を接着又は粘着等により貼り付け、その後に剥離防止層８００３を、画像表示シート８００１の凸形状を有する面と反対側の面から画像表示シート８００１を覆うように積層してもよい。ただし、基材８００２の取付け部８００２ａに画像表示シート８００１を取り付けることができれば貼付には限定されない。
【００６３】
図１（Ｉ）は、第九実施形態による画像表示体の断面図である。
【００６４】
第九実施形態による画像表示体９０００は、画像表示シート９００１と基材９００２と剥離防止層９００３を必須の構成として形成される。なお、上述した実施形態と同様の構成については記載を省略する。
【００６５】
画像表示シート９００１は、基材９００２の取付け部９００２ａに、画像表示シート９００１の側面が接着又は粘着等により貼り付けられる。ただし、基材９００２上の取付け部９００２ａに画像表示シート９００１を取り付けることができれば貼付には限定されない。画像表示シート９００１のその他の構成は上述した画像表示シート１００１と同様であるため説明を省略する。
【００６６】
基材９００２は、画像表示シート９００１を貼り付けるためのものである。基材９００２は、画像表示シート９００１の貼り付け位置が切抜き加工された取り付け部９００２ａを備える。取付け部９００２ａに画像表示シート９００１の側面が貼り付けられる。基材９００２の構成等については、図２（Ｂ）に図示した基材７００２と同様であるため図示を省略する。また、基材９００２の材料等その他の構成は上述した基材１００２と同様であるため説明を省略する。
【００６７】
剥離防止層９００３は、画像表示シート９００１が基材９００２から剥がれることを防止するためのものである。剥離防止層９００３は、画像表示シート９００１上を覆うよう構成されている。剥離防止層９００３の端部は基材９００２上に貼り付けられる。これにより、剥離防止層９００３を安定的に構成することができるので、画像表示シート９００１の安定性も向上する。剥離防止層９００３は、画像表示シート９００１の虚像の観察を妨げてはならないため透明である。剥離防止層９００３の材料は、例えば、ポリエチレンテレフタレートフィルム、ポリエチレンフィルム、ポリプロピレンフィルム、ポリカーボネートフィルム等のプラスチックフィルム、あるいはそれらの複合体等が用いられる。
【００６８】
観察者が画像表示シート９００１の凸形状を有する側（図１（Ｈ）において上方）から画像表示シート９００１の虚像を観察できれば、画像表示シート９００１の側面と基材９００２、剥離防止層９００３と画像表示シート９００１と基材９００２をどのように貼り付けてもよい。
【００６９】
図１（Ｊ）は、第十実施形態による画像表示体の断面図である。
【００７０】
第十実施形態による画像表示体１００００は、画像表示シート１０００１と基材１０００２Ａ及び基材１０００２Ｂを必須の構成として形成される。なお、上述した実施形態と同様の構成については記載を省略する。
【００７１】
本実施形態の基材は、例えば合紙等であって、画像表示シート１０００１を備えた基材１０００２Ａと、基材１０００２Ｂが貼り合せられて構成される。基材１０００２Ａは、切抜き加工された取り付け部１０００２Ａａを備える。
【００７２】
基材１０００２Ａの構成等については、図２（Ｂ）に図示した基材７００２と同様であるため図示を省略する。基材１０００２Ｂ上に取付け部１０００２Ａａを備えた基材１０００２Ａが積層されて構成される。なお、基材１０００２Ａ及び基材１０００２Ｂの材料等その他の構成は上述した基材１００２と同様であるため説明を省略する。基材１０００２Ａ及び基材１０００２Ｂは同一材料で構成されてもよく、異なる材料で構成されてもよい。
【００７３】
画像表示シート１０００１の凸形状を有する面と反対側の面、すなわち、シリンドリカルレンズ又は平凸レンズを有する面と反対側の面が基材１０００２Ｂ上に積層されて接着又は粘着等により貼り付けられる。ただし、画像表示シート１０００１を取り付けることができれば貼付には限定されない。画像表示シート１０００１のその他の構成は上述した画像表示シート１００１と同様であるため説明を省略する。
【００７４】
観察者が画像表示シート１０００１の凸形状を有する側（図１（Ｈ）において上方）から画像表示シート１０００１の虚像を観察できれば、基材１０００２Ａの取付け部１０００２Ａａに、画像表示シート１０００１の側面が接着又は粘着等により貼り付けられてもよい。また、画像表示シート１０００１と基材１０００２Ｂ、又は画像表示シート１０００１の側面と基材１０００２Ａをどのように貼り付けてもよい。また、取付け部１０００２Ａａを備える基材１０００２Ａと基材１０００２Ｂとを積層させて合成させた後、画像表示シート１０００１を取付け部１０００２Ａａに備えてもよい。さらに、基材１０００２Ａと基材１０００２Ｂとを積層させて合成させた後、基材１０００２Ａに切抜き加工を行って取付け部１０００２Ａａを設け、取付け部１０００２Ａａに画像表示シート１０００１を取り付けてもよい。さらに、画像表示シート１０００１は、基材１０００２Ａの取付け部１０００２Ａａ又は基材１０００２Ｂの何れか一方のみと貼り付けてもよい。
【００７５】
図１（Ｋ）は、第十一実施形態による画像表示体の断面図である。
【００７６】
第十一実施形態による画像表示体１１０００は、画像表示シート１１００１と基材１１００２を必須の構成として形成される。なお、上述した実施形態と同様の構成については記載を省略する。
【００７７】
画像表示シート１１００１は、基材１１００２の取付け部１１００２ａに、画像表示シート１１００１の凸形状を有する側、すなわち、シリンドリカルレンズ又は平凸レンズを有する側の端部が接着又は粘着等により貼り付けられる。ただし、基材１１００２の取付け部１１００２ａに画像表示シート１１００１を取り付けることができれば貼付には限定されない。画像表示シート１１００１のその他の構成は上述した画像表示シート１００１と同様であるため説明を省略する。
【００７８】
基材１１００２は、画像表示シート１１００１を貼り付けるためのものである。基材１１００２は、画像表示シート１１００１の貼り付け位置が切抜き加工された取り付け部１１００２ａを備える。取付け部１１００２ａに画像表示シート１１００１の端部が貼り付けられる。基材１１００２の構成等については、図２（Ｂ）に図示した基材７００２と同様であるため図示を省略する。また、基材１１００２の材料等その他の構成は上述した基材１００２と同様であるため説明を省略する。
【００７９】
観察者が画像表示シート１１００１の凸形状を有する側（図１（Ｋ）において上方）から画像表示シート１１００１の虚像を観察できれば、画像表示シート１１００１の端部と基材１１００２をどのように貼り付けてもよい。また、基材１１００２自体を透明材料で構成すれば、基材１１００２と貼り付けられた画像表示シート１０００１の端部も基材１１００２上から確認することができる。
【００８０】
上述した第一実施形態から第十一実施形態による画像表示体１０００〜１１０００によれば、画像表示シート１００１〜１１００１を位置決め精度よく安定的に基材１００２〜１１００２に取り付けることができる。パンフレット、ポスター、パッケージ、人形、おもちゃ、雑貨、機械器具等を基材として画像表示シートを取り付ける場合に有用である。特に、基材に画像表示シートを貼り付けた時に全体が一つの絵柄や文字等になるように絵柄や文字等の画像が印刷等によって構成されている場合に、画像表示シートのズレを防止して正確な位置に貼り付けることができる。例えば、スムーズに動く目玉を虚像として観察可能に構成した画像表示シートを、他のパーツ（眉毛、鼻、口等）が印刷された基材に取り付ける場合、目玉の位置が少しでもずれると福笑いのように違和感を覚える。画像表示体１０００〜１１０００によれば、画像表示シート１００１〜１１００１のサイズに合わせて位置決め、エンボス加工、切抜き加工、をすることで、正確に位置を合わせることができる。
【００８１】
第四実施形態から第十一実施形態による画像表示体４０００〜１１０００によれば、基材４００２〜１１００２にエンボス加工、切抜き加工による取付け部４００２ａ〜１１００２ａを設けた。これにより、画像表示シートを精度良く設置（貼り付け）することができ、基材４００２〜１１００２に正確に位置を合わせることができる。
【００８２】
なお、画像表示体は、画像表示シートが基材（又は基材と剥離防止層）に取り付けられればどのように成形してもよい。従って、単に画像表示シートを基材（又は基材と剥離防止層）に糊で貼り付けるだけでもよい。また、以下に説明する方法で画像表示体を成形してもよい。
【００８３】
図３は、画像表示体の成形方法の説明図である。図３（Ａ）はブロー成形による画像表示体の成形方法を示す図であり、図３（Ｂ）は射出成形による画像表示体の成形方法を示す図である。ここでは、第四実施形態の画像表示シート４００１と基材４００２を例に説明する。
【００８４】
ブロー成形による場合、まず、合わせ型２００００内に画像表示シート４００１を載置する（Ａ−１）。基材４００２の材料となるプラスチック等の熱可塑性樹脂を、パイプ状に成形し、合わせ型２００００内で空気注入により膨らませ、合わせ型２００００の内面に密着させる（Ａ−２）。熱可塑性樹脂を冷却硬化させたのちに、合わせ型２００００を外す（Ａ−３）。以上の工程により、画像表示シート４００１と基材４００２とを取り付けることができる。基材４００２の凹部に画像表示シート４００１が備えられた画像表示体４０００を実現できる。
【００８５】
射出成形による場合、まず、固定型３００００に対して移動型３０００１が型締めされ、基材４００２の材料である加熱溶融された熱可塑性樹脂がシリンダー３０００２から射出される（Ｂ−１、Ｂ−２）。熱可塑性樹脂を冷却硬化させたのちに、固定型３００００及び移動型３０００１を外す（Ｂ−３）。以上の工程により、画像表示シート４００１と基材４００２とを取り付けることができる。基材４００２の凹部に画像表示シート４００１が備えられた画像表示体４０００を実現できる。
【００８６】
この後、画像表示シート４００１の端部を覆うように剥離防止層４００３を貼り付ければ、第四実施形態で説明した画像表示体４０００を成形することができる。
【００８７】
図４は、本発明の画像表示体の使用例図である。図４の例では箱型パッケージを画像表示体とした場合の例である。ここでは、パッケージの基材を基材６００２とし、人物絵柄の目玉部分を２つの画像表示シート６００１とする場合を図示した。図１（Ｆ）に示す画像表示体６０００の断面図が図４のＡ−Ａ断面図に相当する。
【００８８】
図４に示すように、両眼の部分を、目玉の虚像を観察可能な画像表示シート６００１で構成すれば、他のパーツ（眉毛、鼻、口等）が描かれた基材６００２に対して正確な位置に目玉を配置し、かつ、目玉がスムーズに動く画像表示体を実現することができる。
【００８９】
続いて、本発明の画像表示体に備える画像表示シートの例について説明する。なお、上述した本発明の画像表示体１０００〜１１０００に使用される画像表示シートは、レンチキュラーシート又は平凸レンズシートに後述する画像形成層を設けてもよく、後述する紙等の画像形成媒体に画像形成層を形成し、画像形成媒体をレンチキュラーシート又は平凸レンズシートに設けてもよい。
【００９０】
図５は、画像表示体に備える画像表示シートの断面図である。
【００９１】
画像表示シート１００は、レンチキュラーシート１と、画像形成層３を必須の構成として形成される。本実施形態では、紙等の画像形成媒体２に画像形成層３を形成した例について説明する。以下に、画像表示シート１００を構成する各層について説明する。
【００９２】
レンチキュラーシート１は、複数のシリンドリカルレンズ１ａを並列配置して構成される。レンチキュラーシート１に構成されたシリンドリカルレンズ１ａは図面上方に示す。レンチキュラーシート１の材料は、従来から画像表示シートに用いられているレンズシートであれば特に限定されないが、ＰＥＴ（ポリエチレンテレフタレート）、ＰＰ、ＰＥＴＧ（グリコール変性ポリエチレンテレフタレート）、アクリルなどの透明な樹脂材料が用いられる。
【００９３】
画像形成媒体２はレンチキュラーシート１のシリンドリカルレンズ１ａの凸形状を有しない側に設けられ、レンチキュラーシート１側に画像形成層３が形成される。画像形成媒体２の材料は、従来から画像表示シートに用いられている画像形成媒体であれば特に限定されないが、コート紙、合成紙、上質紙、中質紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、木材、金属、あるいはそれらの複合体等が用いられる。画像形成媒体２の材料は、画像表示シート１００に要求される強度や用途等に応じて適宜選択することができる。
【００９４】
画像形成層３は、虚像観察用画像である絵柄や文字等の画像３ａが印刷又は転写等により形成された層である。画像形成層３は、画像形成媒体２のレンチキュラーシート１の側に設けられる。画像形成層３の材料は、画像形成媒体２に密着できる材料であれば特に限定されないが、例えば、従来公知のインキ材等が用いられる。インキ材は蓄光インキ、蛍光インキ等でもよい。
【００９５】
また、レンチキュラーシート１と、画像形成層３を設けた画像形成媒体２との積層方法は、画像形成媒体２及び画像形成層３の材料に応じて、周知の接着又は粘着などの方法を用いて行われる。レンチキュラーシート１と画像形成層３が透明性を保って積層できればよい。つまり、観察者がレンチキュラーシート１のシリンドリカルレンズ１ａの凸形状を有する側から画像形成層３に形成された画像３ａを観察できればよい。具体的には、画像形成層３に形成された画像３ａに基づく移動、又は、移動及び変形を伴う虚像を観察できればよい。
【００９６】
図６は、画像表示体に備える画像表示シートの構成説明図である。図６（Ａ）はレンチキュラーシートの断面説明図であり、図６（Ｂ）は画像形成層の平面図である。図７は、画像表示体に備える画像表示シートの平面図である。
【００９７】
図６（Ａ）の例では、観察者が見る角度を変えて視線移動させる際、観察者が各シリンドリカルレンズ１ａの真上から観察したときの各シリンドリカルレンズ１ａによるフォーカスの様子を示した。シリンドリカルレンズ１ａのピント面は画像形成層３にある。言い換えれば、シリンドリカルレンズ１ａは、画像３ａに焦点が合うように構成されている。なお、実際には観察者は真上からだけに限らず、見る角度を変えることにより、スムーズな虚像の移動又は、移動及び変形を確認できる。
【００９８】
図６（Ｂ）に示すように、画像形成層３には複数の画像３ａが形成されている。図６（Ａ）及び図６（Ｂ）の例では、画像３ａは、シリンドリカルレンズ１ａと略一対一に対応するよう繰り返し形成されている。６つの目玉の画像３ａがそれぞれシリンドリカルレンズ１ａに対応している。
【００９９】
シリンドリカルレンズ１ａの配列ピッチ長Ａと、画像３ａのピッチ長Ｂの差が、シリンドリカルレンズ１ａの配列ピッチ長Ａ又は画像３ａのピッチ長Ｂに対して０％乃至１０％の範囲となるよう構成する。つまり、シリンドリカルレンズ１ａの配列ピッチ長Ａと、画像３ａのピッチ長Ｂが等しい場合（Ａ＝Ｂ）には、その差は０％となり、異なる場合（Ａ＜Ｂ、又は、Ａ＞Ｂ）には、その差は０％より大きく１０％以下の範囲となる。
【０１００】
図６に示す例では、シリンドリカルレンズ１ａの配列ピッチ長Ａと、画像３ａのピッチ長Ｂが異なるよう構成し、かつ、シリンドリカルレンズ１ａの配列ピッチ長Ａと画像３ａのピッチ長Ｂの差が、シリンドリカルレンズ１ａの配列ピッチ長Ａ又は画像３ａのピッチ長Ｂに対して１０％以下となるよう構成する。
【０１０１】
画像３ａのピッチ長Ｂがシリンドリカルレンズ１ａの配列ピッチ長Ａよりも小さい場合（Ａ＞Ｂ）には、観察者は、シリンドリカルレンズ１ａと画像３ａに基づく虚像４がレンチキュラーシート１の下方に沈んで立体的にみえる。そして、視線を右に移動すると虚像４も右に移動してみえ、左に移動すると虚像４も左に移動して見える。つまり、視線移動と同じ方向に虚像４が動いてみえる。
【０１０２】
画像３ａのピッチ長Ｂがシリンドリカルレンズ１ａの配列ピッチ長Ａよりも大きい場合（Ａ＜Ｂ）には、観察者は、シリンドリカルレンズ１ａと画像３ａに基づく虚像４がレンチキュラーシート１の上方に浮いて立体的にみえる。そして、視線を右に移動すると虚像４は左に移動してみえ、視線を左に移動すると虚像４は右に移動して見える。つまり、視線移動と逆の方向に虚像４が動いてみえる。
【０１０３】
図７に示す虚像４のピッチ長ｘは、式（１）に基づいて決定される。虚像４のシリンドリカルレンズ１ａの配列方向の幅ｙは、式（２）に基づいて決定される。なお、Ａはシリンドリカルレンズ１ａの配列ピッチ長であり、Ｂは画像３ａのピッチ長であり、Ｃは画像３ａのシリンドリカルレンズ１ａの配列方向の幅（横サイズ）である。また、虚像４のシリンドリカルレンズ１ａの配列方向に直行する方向の高さｚ（縦サイズ）は、画像３ａのシリンドリカルレンズ１ａの配列方向に直行する方向の高さＤ（縦サイズ）と同一である（式（３））。
【数１】
0005414076.tif 000002
【０１０４】
このように、シリンドリカルレンズ１ａの配列ピッチ長Ａ、画像３ａのピッチ長Ｂ、画像３ａのシリンドリカルレンズ１ａの配列方向の幅Ｃ、画像３ａの高さＤを適宜調整、変更することにより、上記式（１）乃至式（３）に基づいて観察される虚像４のサイズを自在に設定することができる。
【０１０５】
図８は、虚像の説明図である。観察者が見る角度を変えて視線移動していくと、画像形成層３に形成された画像３ａとシリンドリカルレンズ１ａに基づいた虚像４が疑似動的画像としてレンチキュラーシート１の上方から観察できる。
【０１０６】
具体的には、画像３ａのピッチ長Ｂがシリンドリカルレンズ１ａの配列ピッチ長Ａよりも小さい場合（Ａ＞Ｂ）には、虚像４がレンチキュラーシート１の下方に沈んで立体的にみえる。さらに、観察者の視線移動に伴い、虚像４がスムーズに動く虚像として観察される。
【０１０７】
一方、画像３ａのピッチ長Ｂがシリンドリカルレンズ１ａの配列ピッチ長Ａよりも大きい場合（Ａ＜Ｂ）には、虚像４がレンチキュラーシート１の上方に浮いて立体的にみえる。さらに、観察者の視線移動に伴い、虚像４がスムーズに動く虚像として観察される。
【０１０８】
なお、式（１）及び式（２）において、｜Ａ−Ｂ｜の値が小さくなるほど、観察者の視線移動に対する動きの速度が速くなる。したがって、画像表示シート１００の使用状態に応じて、つまり、実際の観察者の視線移動の速度等を鑑みて、｜Ａ−Ｂ｜の値を設定することが好ましい。言い換えると、観察者が視線移動をして虚像４を観察するときに、虚像４の移動速度が視線移動の速度に合うように設定することが望ましい。
【０１０９】
本実施形態によれば、画像形成層３にシリンドリカルレンズ１ａと作用して虚像を表示させるための複数の画像３ａを、レンチキュラーシート１のシリンドリカルレンズ１ａと略一対一に対応するよう繰り返し形成した。そして、シリンドリカルレンズ１ａの配列ピッチ長Ａと、画像３ａのピッチ長Ｂの差が、シリンドリカルレンズ１ａの配列ピッチ長Ａ又は画像３ａのピッチ長Ｂに対して０％乃至１０％の範囲となるよう構成したので、スムーズな移動、又は、移動及び変形を伴う虚像４を観察することが可能な画像表示シートを実現できる。また、画像３ａのサイズ（幅Ｃ、高さＤ）はいずれも数百μm〜数十mm程度のため、専用の設備等を用いることなく、汎用の設備（例えば、汎用の印刷装置、転写装置、汎用の画像ソフトウェア）等を用いて、画像形成媒体２に画像形成層３を印刷、転写できる。
【０１１０】
また、このような画像表示シート１００を備えた第一実施形態乃至第六実施形態の画像表示体によれば、複数のシリンドリカルレンズ１ａの配列により構成されたレンチキュラーシート１と画像形成層３が積層して構成され、レンチキュラーシート１のシリンドリカルレンズ１ａの凸形状を有する側から画像形成層３に形成された画像を移動、又は、移動及び変形を伴う虚像として観察可能に構成した画像表示シート１００と、基材とからなる画像表示体であって、画像表示シート１００の画像形成層３にはシリンドリカルレンズ１ａと作用して虚像を表示させるための複数の画像３ａが、各シリンドリカルレンズ１ａと略一対一に対応するよう繰り返し形成されており、シリンドリカルレンズの配列ピッチ長Ａと、画像３ａのピッチ長Ｂの差が、シリンドリカルレンズ１ａの配列ピッチ長Ａ又は画像３ａのピッチ長Ｂに対して０％乃至１０％の範囲となるよう構成し、基材と画像表示シート１００が積層して構成されるよう構成したので、スムーズな疑似的動画像を実現し、かつ違和感を減縮させて観察することが可能な画像表示シートが取り付けられた画像表示体を実現できる。
【０１１１】
また、このような画像表示シート１００を備えた第七実施形態乃至第十一実施形態の画像表示体によれば、複数のシリンドリカルレンズ１ａの配列により構成されたレンチキュラーシート１と画像形成層３が積層して構成され、レンチキュラーシート１のシリンドリカルレンズ１ａの凸形状を有する側から画像形成層３に形成された画像を移動、又は、移動及び変形を伴う虚像として観察可能に構成した画像表示シート１００と、基材とからなる画像表示体であって、画像表示シート１００の画像形成層３にはシリンドリカルレンズ１ａと作用して虚像を表示させるための複数の画像３ａが、各シリンドリカルレンズ１ａと略一対一に対応するよう繰り返し形成されており、シリンドリカルレンズの配列ピッチ長Ａと、画像３ａのピッチ長Ｂの差が、シリンドリカルレンズ１ａの配列ピッチ長Ａ又は画像３ａのピッチ長Ｂに対して０％乃至１０％の範囲でとなるよう構成し、基材は切抜き加工された取付け部を有し、取付け部に画像表示シート１００が取り付けられるよう構成したので、スムーズな疑似的動画像を実現し、かつ違和感を減縮させて観察することが可能な画像表示シートが取り付けられた画像表示体を実現できる。
【０１１２】
なお、画像３ａは、シリンドリカルレンズ１ａと略一対一に対応するよう繰り返し形成されているが、シリンドリカルレンズ１ａの配列ピッチ長Ａと画像３ａのピッチ長Ｂが異なる場合、徐々に対応位置がずれていく。したがって一部のシリンドリカルレンズ１ａと画像３ａは一対一に対応していない。シリンドリカルレンズ１ａの配列ピッチ長Ａと画像３ａのピッチ長Ｂが異なることによってスムーズな虚像が観察できる。
【０１１３】
また、上述した実施例では、画像３ａを全て開いている目玉の画像としたが、画像３ａを開いている目の画像、少し閉じている目の画像、さらに少しだけ閉じている目の画像、・・・、閉じている目の画像、少しだけ開いている目の画像、さらに少し開いている目の画像、・・・、開いている目の画像と画像を変えることにより、移動と変形を伴った虚像を観察することができる。
【０１１４】
（画像表示シートの実施例）
図９は、実際の画像表示シートである。図９の例では、異なるデザインの２種類の目玉の虚像が観察できる。本願出願人による特許出願（特願２０１０−９６４７６）の添付図面（図５）に相当し、鮮明な印刷物を物件提出している。
【０１１５】
図９に示す画像表示シートの各構成部の寸法は下記の通りである。なお、デザイン（画像の絵柄）が異なる２種の目玉の画像は同じ寸法である。
●レンチキュラーシート１の厚さ：0.45 mm
●シリンドリカルレンズ１ａの配列ピッチ長Ａ：336 μm
●図９中上の目玉の画像３ａのピッチ長Ｂ：330 μm（図９中下の目玉の画像３ａのピッチ長Ｂも同様である）
ピッチ長Ａとピッチ長Ｂの差：6 μm
●図９中上の目玉の画像３ａの幅Ｃ：225 μm（図９中下の目玉の画像３ａの幅Ｃも同様である）
●図９中上の目玉の画像３ａの高さＤ：12.7 mm（図９中下の目玉の画像３ａの高さＤも同様である）
●図９中上の目玉の虚像４のピッチ長ｘ：19 mm（図９中下の目玉の虚像４のピッチ長ｘも同様である）
●図９中上の目玉の虚像４の幅ｙ：12.7 mm（図９中下の目玉の虚像４の幅ｙも同様である）
●図９中上の目玉の虚像４の高さｚ：12.7 mm（図９中下の目玉の虚像４の高さｚも同様である）
【０１１６】
（他の実施形態１）
他の実施形態１による画像表示シートは、１つの虚像を観察可能にする構成である。なお、上述した実施形態と同様の構成については記載を省略する。
【０１１７】
図１０は他の実施形態１による画像表示シートの構成説明図である。図１１は他の実施形態１による虚像の説明図である。
【０１１８】
図１０（Ａ）はレンチキュラーシート５の各シリンドリカルレンズ５ａと、画像６ａ及び６ｂの対応説明図であり、図１０（Ｂ）は画像６ｂのピッチ長計測の説明図である。レンチキュラーシート５の構成は上述したレンチキュラーシート１と同様であるため説明を省略する。
【０１１９】
画像形成層６には、虚像観察用画像群である所定数の画像が形成されている。画像群の中央付近の画像６ａは、欠けの無い画像であり、中央付近の画像６ａを除く他の画像６ｂは中央付近の画像６ａ側に欠き部６ｃを有する。画像６ａ及び６ｂは、シリンドリカルレンズ５ａと略一対一に対応するよう形成されている。
【０１２０】
図１０の例では、画像群は、中央付近の画像６ａと、欠き部６ｃを有する１０個の画像６ｂの合計１１個の画像により構成される。画像６ｂの欠き部６ｃは、画像６ａから図中左右に遠ざかるほど大きくなる。なお、図１０では中央付近の画像６ａは１つの場合を示したが、中央付近の画像６ａの数は複数でもよい。
【０１２１】
画像６ａ及び６ｂは、上述した実施形態と同様にシリンドリカルレンズ５ａと略一対一に対応するよう形成されている。そして、シリンドリカルレンズ５ａの配列ピッチ長Ａと、画像６ａ及び６ｂのピッチ長Ｂの差が、シリンドリカルレンズ５ａの配列ピッチ長Ａ又は画像６ａ及び６ｂのピッチ長Ｂに対して０％乃至１０％の範囲となるよう構成する。なお、画像６ａと画像６ｂ間のピッチ長Ｂ及び画像６ｂ間のピッチ長Ｂは、画像６ｂに欠き部６ｃが無いと仮定したときの画像６ｂ間のピッチ長Ｂとする（図１０（Ｂ））。
【０１２２】
また、観察される虚像７の幅ｙ及びｚは、上述した式（２）及び式（３）に基づいて決定される。幅Ｃ及びＤは、画像６ｂに欠き部６ｃが無いと仮定したときの幅Ｃ及びＤとする（図１０（Ｂ））。欠けの無い画像６ａから幅Ｃ及びＤを求める場合、画像６ａの横サイズを幅Ｃ、縦サイズを高さＤとする。
【０１２３】
なお、画像形成層６は、画像形成媒体（不図示）に形成してもよく、後述する他の実施形態２のようにレンチキュラーシート５に直接形成してもよい。画像形成層６を画像形成媒体に形成する場合、画像形成媒体の構成は上述した画像形成媒体２に準じる。
【０１２４】
以上説明した構成により、図１１に示すように１つだけの虚像７を観察することができる画像表示シート２００を実現できる。観察者が見る角度を変えて視線移動していくと、画像形成層６に形成された画像６ａ及び６ｂとシリンドリカルレンズ５ａに基づいて、中央の画像が際立って表現された１つの虚像７が疑似動的画像として観察できる。
【０１２５】
（画像表示シートの実施例）
図１２は、他の実施形態１による実際の画像表示シートである。図１２の例では、異なるデザインの２種類の目玉の虚像がそれぞれ１つだけ観察できる。本願出願人による特許出願（特願２０１０−９６４７６）の添付図面（図８）に相当し、鮮明な印刷物を物件提出している。
【０１２６】
図１２に示す画像表示シートの各構成部の寸法は下記の通りである。なお、デザイン（画像の絵柄）が異なる２種の目玉の画像は同じ寸法である。
●レンチキュラーシートの厚さ：0.45 mm
●シリンドリカルレンズ５ａの配列ピッチ長Ａ：336 μm
●図１２中上の目玉の画像６ａと画像６ｂ間（及び画像６ｂ間）のピッチ長Ｂ：330 μm（図１２中下の目玉の画像６ａと画像６ｂ間（及び画像６ｂ間）のピッチ長Ｂも同様である）
ピッチ長Ａとピッチ長Ｂの差：6 μm
●図１２中上の目玉の画像６ａ（及び６ｂ）の幅Ｃ：225 μm（図１２中下の目玉の画像６ａ（及び６ｂ）の幅Ｃも同様である）
●図１２中上の目玉の画像６ａ（及び６ｂ）の高さＤ：12.7 mm（図１２中下の目玉の画像６ａ（及び６ｂ）の高さＤも同様である）
●図１２中上の目玉の虚像７の幅ｙ：12.7 mm（図１２中下の目玉の虚像７の幅ｙも同様である）
●図１２中上の目玉の虚像７の高さｚ：12.7 mm（図１２中下の目玉の虚像７の高さｚも同様である）
【０１２７】
（他の実施形態２）
図１３は他の実施形態２による画像表示シートの断面図である。
【０１２８】
他の実施形態２による画像表示シート３００は、レンチキュラーシートに画像形成層を設ける構成である。
【０１２９】
図１３に示すように、画像表示シート３００は、レンチキュラーシート８と、画像形成層９が必須の構成として設けられる。レンチキュラーシート８の構成は上述したレンチキュラーシート１と同様であるため説明を省略する。
【０１３０】
画像形成層９は、虚像観察用画像である絵柄や文字等の画像９ａが印刷又は転写等により形成された層である。画像形成層９は、レンチキュラーシート８のシリンドリカルレンズ８ａの凸形状を有する面と反対側の面に設けられる。画像形成層９の材料は、レンチキュラーシート８に密着できる材料であれば特に限定されないが、例えば、従来公知のインキ材等が用いられる。インキ材は蓄光インキ、蛍光インキ等でもよい。
【０１３１】
画像形成層９には、複数の画像９ａがシリンドリカルレンズ８ａと略一対一に対応するよう繰り返し形成されている。シリンドリカルレンズ８ａの配列ピッチ長と、画像９ａのピッチ長の差が、シリンドリカルレンズ８ａの配列ピッチ長又は画像９ａのピッチ長に対して０％乃至１０％の範囲となるよう構成する。その他の構成は上述した画像形成層３又は画像形成層６と同様であるため説明を省略する。
【０１３２】
このように、レンチキュラーシート８に画像形成層３又は画像形成層６を直接形成してもよい。  
【０１３３】
（他の実施形態３）
本発明の画像表示体に備える画像表示シート画像表示シートを立体視シートと組み合わせることも可能である。他の実施形態３として、画像表示シートを立体視シートと組み合わせた場合の実施形態を説明する。
【０１３４】
図１４は、他の実施形態３による画像表示シートの構成説明図である。（Ａ）は画像表示シートの断面図であり、（Ｂ）は画像形成層の平面図である。
【０１３５】
画像表示シート４００は、虚像表示部４０ａと被観察像表示部４０ｂにより構成される。
【０１３６】
虚像表示部４０ａは、被観察像表示部４０ｂと共通のレンチキュラーシート１０と、被観察像表示部４０ｂと共通の画像形成媒体１１と、画像形成層１２により構成される。被観察像表示部４０ｂは、虚像表示部４０ａと共通のレンチキュラーシート１０と、虚像表示部４０ａと共通の画像形成媒体１１と、画像形成層１３により構成される。
【０１３７】
レンチキュラーシート１０の構成は上述したレンチキュラーシート１と同様であり、画像形成媒体１１の構成は上述した画像形成媒体２と同様であり、画像形成層１２の構成は上述した画像形成層３又は画像形成層６と同様であるため説明を省略する。図１４の例では、画像形成層１２には、虚像観察用画像としての画像１２ａが形成されている。
【０１３８】
画像形成媒体１１は、虚像表示部４０ａと被観察像表示部４０ｂ共通の画像形成媒体である。レンチキュラーシート１０の側に画像形成層１２及び１３を形成して構成される。画像形成媒体１１のその他の構成は上述した画像形成媒体２と同様であるため説明を省略する。
【０１３９】
被観察像表示部４０ｂは、従来公知のレンチキュラー表示体の構成及び効果を有する。被観察像表示部４０ｂの画像形成層１３は、虚像観察用画像（本実施形態では画像１２ａ）とは異なる単数又は複数の他の画像が印刷又は転写等により形成された層である。他の画像とは、立体視用画像、チェンジング用画像、アニメーション用画像等である絵柄や文字等の画像である。図１４（Ｂ）の例では、レンチキュラーシート１０のシリンドリカルレンズ１０ａと作用して被観察像を表示する左目用画像１３ａと右眼用画像１３ｂがストライプ状に配置されている。画像形成層１３の材料は、画像形成媒体１１に密着できる材料であれば特に限定されないが、例えば、従来公知のインキ材等が用いられる。
【０１４０】
レンチキュラーシート１０と、画像形成媒体１１との積層方法は、画像形成媒体１１及び画像形成層１２及び１３の材料に応じて、周知の接着又は粘着などの方法を用いて行われる。レンチキュラーシート１０と画像形成層１２及び１３が透明性を保って積層できればよい。
【０１４１】
観察者は、レンチキュラーシート１０の上方から見る角度を変えて視線移動すると、虚像表示部４０ａでは画像形成層１２の画像とシリンドリカルレンズ１０ａとが作用して虚像を観察でき、被観察像表示部４０ｂでは画像形成層１３の画像とシリンドリカルレンズ１０ａとが作用して被観察像を観察できる。
【０１４２】
以上説明したように、虚像を観察可能な虚像表示部４０ａと、被観察像を観察可能な被観察像表示部４０ｂを組み合わせた画像表示シート４００を構成することができる。なお、図１４では説明及び図示を簡単にするため２つの虚像表示部４０ａと３つの被観察像表示部４０ｂによる場合を例に説明したが、画像表示シートのデザインに応じて所望の数の（複数又は単数の）虚像表示部４０ａと所望の数の（複数又は単数の）被観察像表示部４０ｂを組み合わせてもよい。
【０１４３】
他の実施形態３の画像表示シート４００によれば、虚像表示部４０ａと被観察像表示部４０ｂを同一の画像形成媒体１１にて構成したので、より簡易かつ安定したシートを実現できる。例えば、歌舞伎役者の面（顔）を表現した画像表示シートを作成する際、両眼の部分を虚像表示部４０ａにより形成し、両眼以外の部分を被観察像表示部４０ｂにより形成することにより、両眼のみがスムーズに移動する立体的な歌舞伎役者の面を表現することができる。
【０１４４】
（他の実施形態４）
平凸レンズシートを用いて本発明の画像表示体に備える画像表示シートを構成することも可能である。他の実施形態３として、平凸レンズシートを用いた場合の実施形態を説明する。
【０１４５】
図１５は、他の実施形態４による画像表示シートの断面図である。
【０１４６】
画像表示シート５００は、平凸レンズシート１５と、画像形成層１７を必須の構成として形成される。ここでは、紙等の画像形成媒体に画像形成層１６を形成した例について説明する。以下に、画像表示シート５００を構成する各層について説明する。
【０１４７】
平凸レンズシート１５は、複数の平凸レンズ１５ａのハニカム配列又はスクウェア配列により構成される。平凸レンズシート１５に構成された平凸レンズ１５ａは図面上方に示す。平凸レンズシート１５の材料は、従来から画像表示シートに用いられているレンズシートであれば特に限定されないが、ＰＥＴ（ポリエチレンテレフタレート）、ＰＰ、ＰＥＴＧ（グリコール変性ポリエチレンテレフタレート）、アクリルなどの透明な樹脂材料が用いられる。
【０１４８】
画像形成媒体１６は平凸レンズシート１５の平凸レンズ１５ａの凸形状を有しない側に設けられ、平凸レンズシート１５側に画像形成層１６が形成される。画像形成媒体１６のその他の構成は上述した画像形成媒体２と同様であるため説明を省略する。
【０１４９】
画像形成層１７は、虚像観察用画像である絵柄や文字等の画像１７ａが印刷又は転写等により形成された層である。画像形成層１７は、画像形成媒体１６の平凸レンズシート１５の側に設けられる。画像形成層３の材料は、画像形成媒体２に密着できる材料であれば特に限定されないが、例えば、従来公知のインキ材等が用いられる。インキ材は蓄光インキ、蛍光インキ等でもよい。画像形成層１７のその他の構成は上述した画像形成層３と同様であるため説明を省略する。
【０１５０】
平凸レンズ１５ａのピント面は画像形成層１７にある。言い換えれば、平凸レンズ１５ａは、画像１７ａに焦点が合うように構成されている。また、平凸レンズシート１５と、画像形成層１７を設けた画像形成媒体１６との積層方法は、画像形成媒体１６及び画像形成層１７の材料に応じて、周知の接着又は粘着などの方法を用いて行われる。平凸レンズシート１５と画像形成層１７が透明性を保って積層できればよい。つまり、観察者が平凸レンズシート１５の平凸レンズ１５ａの凸形状を有する側から画像形成層１７に形成された画像１７ａを観察できればよい。具体的には、画像形成層１７に形成された画像１７ａに基づく移動、又は、移動及び変形を伴う虚像を観察できればよい。
【０１５１】
図１６は、他の実施形態４による画像表示シートの構成説明図である。（Ａ）は平凸レンズシートの平面図であり、（Ｂ）は画像形成層の平面図である。図１７及び図１８は、他の実施形態４による虚像の構成説明図である。
【０１５２】
平凸レンズシート１５には、複数の平凸レンズ１５ａが形成されている。図１６（Ａ）は、ハニカム配列による平凸レンズシート１５の例である。図１６（Ｂ）に示すように、画像形成層１７には複数の画像１７ａが形成されている。画像１７ａは、平凸レンズ１５ａと略一対一に対応するよう繰り返し形成されている。図１６（Ａ）及び図１６（Ｂ）の例では、３０個の目玉の画像１７ａがそれぞれ平凸レンズ１５ａに対応している。
【０１５３】
平凸レンズ１５ａの配列ピッチ長と画像１７ａのピッチ長が異なるよう構成し、かつ、平凸レンズ１５ａの配列ピッチ長と画像１７ａのピッチ長の差が、平凸レンズ１５ａの配列ピッチ長又は画像１７ａのピッチ長に対し１０％以下となるよう構成する。図１６の例では、平凸レンズ１５ａの図中横（水平方向）の配列ピッチ長Ａ１と画像１７ａの図中横のピッチ長Ｂ１が異なるよう構成し、かつ、その差が平凸レンズ１５ａの配列ピッチ長Ａ１又は画像１７ａのピッチ長Ｂ１に対し１０％以下となるよう構成し、平凸レンズ１５ａの図中縦（垂直方向）の配列ピッチ長Ａ２と画像１７ａの図中横のピッチ長Ｂ２が異なるよう構成し、かつ、その差が平凸レンズ１５ａの配列ピッチ長Ａ２又は画像１７ａのピッチ長Ｂ２に対し１０％以下となるよう構成する。
【０１５４】
画像１７ａのピッチ長Ｂ１（Ｂ２）が、平凸レンズ１５ａの配列ピッチ長Ａ１（Ａ２）よりも小さい場合（Ａ１＞Ｂ１、及び、Ａ２＞Ｂ２）には、観察者は、平凸レンズ１５ａと画像１７ａに基づく虚像１８が平凸レンズシート１５の下方に沈んで立体的にみえる。そして、図１７に示すように視線を右に移動すると虚像１８も右に移動してみえ、左に移動すると虚像１８も左に移動して見える。つまり、視線移動と同じ方向に虚像１８が動いてみえる。
【０１５５】
画像１７ａのピッチ長Ｂ１（Ｂ２）が、平凸レンズ１５ａの配列ピッチ長Ａ１（Ａ２）よりも大きい場合（Ａ１＜Ｂ１、及び、Ａ２＜Ｂ２）には、観察者は、平凸レンズ１５ａと画像１７ａに基づく虚像１８が平凸レンズシート１５の上方に浮いて立体的にみえる。そして、視線を右に移動すると虚像１８は左に移動してみえ、視線を左に移動すると虚像１８は右に移動して見える。つまり、視線移動と逆の方向に虚像１８が動いてみえる。
【０１５６】
図１７及び図１８に示すように、観察者が見る角度を変えて視線移動していくと、画像形成層１７に形成された画像１７ａと平凸レンズ１５ａに基づいた虚像１８が平凸レンズシート１５の上方から観察できる。図１７は水平方向に視線移動した場合の虚像１８の様子を示す。図１７は垂直方向に視線移動した場合の虚像１８の様子を示す。
【０１５７】
図１８に示す虚像１８のピッチ長ｘ１は、式（１）に基づいて決定される。虚像１８の水平方向の幅ｙ１は、式（２）に基づいて決定される。このとき、Ａは平凸レンズ１５ａの配列ピッチ長Ａ１であり、Ｂは画像１７ａの水平方向のピッチ長Ｂ１であり、Ｃは画像１７ａの水平方向の幅Ｃ１（横サイズ）である。
【０１５８】
図１８に示す虚像１８のピッチ長ｘ２は、式（１）に基づいて決定される。虚像１８の垂直方向の幅ｙ２は、式（２）に基づいて決定される。このとき、Ａは平凸レンズ１５ａの配列ピッチ長Ａ２であり、Ｂは画像１７ａの垂直方向のピッチ長Ｂ２であり、Ｃは画像１７ａの垂直方向の高さＣ２（縦サイズ）である。
【０１５９】
なお、式（１）及び式（２）において、｜Ａ−Ｂ｜の値が小さくなるほど、観察者の視線移動に対する動きの速度が速くなる。したがって、画像表示シート５００の使用状態に応じて、つまり、実際の観察者の視線移動の速度等を鑑みて、｜Ａ−Ｂ｜の値を設定することが好ましい。言い換えると、観察者が視線移動をして虚像１８を観察するときに、虚像１８の移動速度が視線移動の速度に合うように設定することが望ましい。
【０１６０】
以上説明した構成により、平凸レンズシートを用いてもスムーズに移動する虚像を観察することができる画像表示シート５００を実現できる。観察者が見る角度を変えて視線移動していくと、画像形成層１７に形成された画像１７ａと平凸レンズ１５ａに基づく虚像１８が観察できる。
【０１６１】
なお、画像形成層１７は、画像形成媒体１６に形成したが、上述した他の実施形態２に準じて平凸レンズシート１５の平凸レンズを有する面と反対側の面に直接形成してもよい。また、画像表示シート５００は、上述した他の実施形態３に準じて従来公知の立体視シートと組み合わせ、立体画像又はチェンジング画像又はアニメーション画像又はこれらの組み合わせの作用により被観察像を観察可能に構成することもできる。この場合、本発明の虚像観察用画像として画像１７ａが機能する。
【０１６２】
さらにまた、画像表示シート５００は、上述した他の実施形態１に準じて１つだけの虚像を観察する画像表示シートを構成することもできる。以下、他の実施形態５として詳細に説明する。
（他の実施形態５）
平凸レンズシートを用いて１つだけの虚像を観察する際の画像形成層について説明する。なお、平凸レンズシート及び画像形成媒体は、他の実施形態４と同一の構成とする。
【０１６３】
図１９は、他の実施形態５による画像表示シートの画像形成層の平面図である。
【０１６４】
画像形成層１９には、虚像観察用画像群である所定数の画像１９ａ及び１９ｂが形成されている。画像群の中央付近の画像１９ａは、欠けの無い画像であり、中央付近の画像１９ａを除くそのほかの画像１９ｂは中央付近の画像１９ａ側に欠き部１９ｃを有する。画像１９ａ及び１９ｂは、平凸レンズ（不図示）と略一対一に対応するよう形成されている。
【０１６５】
図１９の例では、画像群は、中央付近の画像１９ａと、欠き部１９ｃを有する複数の画像１９ｂにより構成される。画像１９ｂの欠き部１９ｃは、画像１９ａから遠ざかるほど大きくなる。なお、図１９では中央付近の画像１９ａは１つの場合を示したが、中央付近の画像１９ａの数は複数でもよい。
【０１６６】
平凸レンズの配列ピッチ長と、画像１９ａ及び１９ｂのピッチ長が異なるよう構成し、かつ、平凸レンズの配列ピッチ長と画像１９ａ及び１９ｂのピッチ長の差が、平凸レンズの配列ピッチ長又は画像１９ａ及び１９ｂのピッチ長に対し１０％以下となるよう構成する。具体的には、平凸レンズの水平方向の配列ピッチ長Ａ１と画像１９ａの水平方向のピッチ長Ｂ１が異なるよう構成し、その差が平凸レンズの水平方向の配列ピッチ長Ａ１又は画像１９ａの水平方向のピッチ長Ｂ１に対し１０％以下となるよう構成する。また、平凸レンズの垂直方向の配列ピッチ長Ａ２と画像１９ａの垂直方向のピッチ長Ｂ２が異なるよう構成し、その差が平凸レンズの垂直方向の配列ピッチ長Ａ２又は画像１９ａの垂直方向のピッチ長Ｂ２に対し１０％以下となるよう構成する。なお、画像１９ａと画像１９ｂ間のピッチ長Ｂ１及びＢ２、画像１９ｂ間のピッチ長Ｂ１及びＢ２は、画像１９ｂに欠き部１９ｃが無いと仮定したときの画像１９ｂ間のピッチ長Ｂ１及びＢ２とする。
【０１６７】
虚像（不図示）の水平方向のピッチ長ｘ１は、式（１）に基づいて決定される。虚像の水平方向の幅ｙ１は、式（２）に基づいて決定される。このとき、Ａは平凸レンズの配列ピッチ長Ａ１であり、Ｂは画像１９ａ及び１９ｂの水平方向のピッチ長Ｂ１であり、Ｃは画像１９ａの水平方向の幅Ｃ１（横サイズ）である。
【０１６８】
また、虚像（不図示）の垂直方向のピッチ長ｘ２は、式（１）に基づいて決定される。虚像の垂直方向の幅ｙ２は、式（２）に基づいて決定される。このとき、Ａは平凸レンズの配列ピッチ長Ａ２であり、Ｂは画像１９ａ及び１９ｂの垂直方向のピッチ長Ｂ２であり、Ｃは画像１９ａ及び１９ｂの垂直方向の高さＣ２（縦サイズ）である。
【０１６９】
以上説明した構成により、平凸レンズシートを用いてもスムーズに移動する１つだけの虚像を観察することができる画像表示シートを実現できる。観察者が見る角度を変えて視線移動していくと、画像形成層１９に形成された画像１９ａ及び１９ｂと平凸レンズに基づき、中央の画像が際立って表現された１つの虚像が観察できる。
【０１７０】
なお、上述した実施形態はそれぞれ組み合わせて実施することができる。例えば、他の実施形態３について、他の実施形態２に準じて画像形成層をレンチキュラーシートのシリンドリカルレンズの凸形状を有する面と反対側の面に直接設けてもよい。また、他の実施形態４、他の実施形態５について、他の実施形態２に準じて平凸レンズシートの平凸レンズの凸形状を有する面と反対側の面に画像形成層を直接設けてもよい。
【０１７１】
上述した実施形態では、目玉を虚像観察用画像とした例に沿って説明したが、目玉に限らず様々な絵柄や文字等の画像に基づく虚像を観察することができる。特に、虚像観察用画像として、閉じている目玉の画像と開いている目玉の画像を用いれば、眼が開閉するような変形を伴った虚像を観察することができる。他にも、開いている口の画像と閉じている口の画像、又は、開いている花の画像と閉じている花の画像等を虚像観察用画像とすれば移動と変形を伴う多種多様の虚像を実現できる。以下、図２０を用いて矢印の画像を虚像観察用画像とした場合について説明する。
【０１７２】
（他の実施形態６）
図２０は、他の実施形態６による画像表示シートの画像形成層の平面図である。図２０（Ａ）及び図２０（Ｂ）は矢印を虚像観察用画像とした画像形成層の例である。
【０１７３】
図２０（Ａ）に示す画像形成層２０には、虚像観察用画像としての複数の画像２０ａが形成されている。画像２０ａは、レンチキュラーシートのシリンドリカルレンズ（不図示）と略一対一に対応するよう繰り返し形成されている。シリンドリカルレンズの配列ピッチ長と、画像２０ａのピッチ長Ｂは異なるよう構成し、その差がシリンドリカルレンズの配列ピッチ長又は画像２０ａのピッチ長Ｂに対して１０％以下となるよう構成する。なお、画像形成層２０は、画像形成媒体（不図示）に形成してもよく、他の実施形態２のようにレンチキュラーシートに直接形成してもよい。画像形成層２０を画像形成媒体に形成する場合、画像形成媒体の構成は上述した画像形成媒体２と同様でよい。
【０１７４】
画像２０ａとシリンドリカルレンズに基づいた矢印を示す虚像が疑似動的画像としてレンチキュラーの上方から観察できる。また、シリンドリカルレンズの配列ピッチ長、画像２０ａのピッチ長Ｂ、画像２０ａのシリンドリカルレンズの配列方向の幅Ｃ、画像２０ａの高さＤを適宜調整、変更することにより、上記式（１）乃至式（３）に基づいて観察される虚像のサイズを自在に設定することができる。
【０１７５】
図２０（Ｂ）に示す画像形成層２１には、虚像観察用画像としての複数の画像２１ａが形成されている。画像２１ａの構成は画像２０ａの構成と同様であるため説明を省略する。
【０１７６】
画像２１ａとシリンドリカルレンズ（不図示）に基づいた矢印を示す虚像が疑似動的画像としてレンチキュラーの上方から観察できる。また、シリンドリカルレンズの配列ピッチ長、画像２０ａのピッチ長Ｂ、画像２１ａのシリンドリカルレンズの配列方向の幅Ｃ、画像２１ａの高さＤを適宜調整、変更することにより、上記式（１）乃至式（３）に基づいて観察される虚像のサイズを自在に設定することができる。
【０１７７】
画像２０ａ（又は画像２１ａ）のピッチ長Ｂがシリンドリカルレンズの配列ピッチ長Ａ（不図示）よりも小さい場合（Ａ＞Ｂ）には、観察者は、シリンドリカルレンズと画像２０ａ（又は画像２１ａ）に基づく矢印を示す虚像がレンチキュラーシートの下方に沈んで立体的にみえる。そして、視線を右に移動すると矢印を示す虚像も右に移動してみえ、左に移動すると矢印を示す虚像も左に移動して見える。つまり、視線移動と同じ方向に矢印を示す虚像が動いてみえる。人の進行方向と共に矢印を示す虚像も同じ方向に動いて見えるので、進行方向誘導に効果的に使用することができる。
【０１７８】
一方、画像２０ａ（又は画像２１ａ）のピッチ長Ｂがシリンドリカルレンズの配列ピッチ長Ａ（不図示）よりも大きい場合（Ａ＜Ｂ）には、観察者は、シリンドリカルレンズと画像２０ａ（又は画像２１ａ）に基づく矢印を示す虚像がレンチキュラーシートの上方に浮いて立体的に見える。このとき、観察者には、画像２０ａ（又は画像２１ａ）が１８０度回転した形状の虚像が見える。そして、視線を右に移動すると矢印を示す虚像は左に移動してみえ、視線を左に移動すると矢印を示す虚像は右に移動して見える。つまり、視線移動と逆の方向に矢印を示す虚像が動いて見える。人を進行方向と逆の方向への誘導に効果的に使用することができる。
【０１７９】
レンチキュラーシートの上方に平凸レンズ、メニスカスレンズ等の凸状体を備えて構成することもできる。以下、図面を参照して説明する。
【０１８０】
（他の実施形態７）
他の実施形態７による画像表示シートは、レンチキュラーシートの上方に平凸レンズを備えた構成である。なお、上述した実施形態と同様の構成については記載を省略する。
【０１８１】
図２１は他の実施形態７による画像表示シートの構成説明図である。図２１（Ａ）に示す画像表示シート６００は、レンチキュラーシート６１と、画像形成層６３と、他の凸レンズとしての平凸レンズ６４が必須の構成として設けられる。
【０１８２】
レンチキュラーシート６１は、複数のシリンドリカルレンズ６１ａを並列配置して構成される。画像形成媒体６２はレンチキュラーシート６１のシリンドリカルレンズ６１ａの凸形状を有しない側に設けられ、レンチキュラーシート６１側に画像形成層６３が形成される。画像形成層６３は、虚像観察用画像である絵柄や文字等の画像６３ａが印刷又は転写等により形成された層である。画像形成層６３は、画像形成媒体６２のレンチキュラーシート６１の側に設けられる。
【０１８３】
平凸レンズ６４は、レンチキュラーシート６１のシリンドリカルレンズ６１ａの凸形状を有する側に設けられる。平凸レンズ６４は、レンチキュラーシート６１と反対側（図中上方）に凸形状を有する。平凸レンズ６４の材料は、特に限定されないが、ＰＥＴ（ポリエチレンテレフタレート）、ＰＰ、ＰＥＴＧ（グリコール変性ポリエチレンテレフタレート）、アクリルなどの透明な樹脂材料が用いられる。
【０１８４】
図２１（Ｂ）はレンチキュラーシートのフォーカスの様子を示す要部断面図である。シリンドリカルレンズ６１ａ単独での焦点は、画像形成層６３の下方に収束するように構成されている。このようなシリンドリカルレンズ６１ａと平凸レンズ６４の作用により、平凸レンズ６４の上方からの焦点が、画像形成層６３に形成された画像６３ａに合うよう構成される。
【０１８５】
レンチキュラーシート６１のその他の構成は上述したレンチキュラーシート１と同様である。また、画像形成媒体６２の構成は上述した画像形成媒体２と同様であり、画像形成層６３の構成は上述した画像形成層３又は画像形成層６と同様である。
【０１８６】
以上説明したように、レンチキュラーシート６１のシリンドリカルレンズ６１ａの凸形状を有する側に他の凸レンズとしての平凸レンズ６４を設け、平凸レンズ６４とシリンドリカルレンズ６１ａを通して画像６３に焦点が合うよう構成した。これにより、平凸レンズ６４とシリンドリカルレンズ６１ａを用いてもスムーズに移動する虚像を観察することができる。観察者が、レンチキュラーシート６１のシリンドリカルレンズ６１ａ表面に直接触れることを防止できる。また、目玉の虚像の場合には、平凸レンズ６４の形状により、視覚的及び触感的に眼球に近い画像表示シート６００を構成することができる。
【０１８７】
なお、図２１（Ａ）の例では、画像表示シート６００の平凸レンズ６４は、レンチキュラーシート６１のシリンドリカルレンズ６１ａから所定距離離れて構成されるが、本発明の画像表示体に備える画像表示シートは、平凸レンズがシリンドリカルレンズ上に接して配置されてもよい。
【０１８８】
図２１（Ｃ）は、平凸レンズの配置が異なる画像表示シートの例である。図２１（Ｃ）に示す画像表示シート７００は、レンチキュラーシート７１と、画像形成層７３と、他の凸レンズとしての平凸レンズ７４が必須の構成として設けられる。レンチキュラーシート７１の構成は上述したレンチキュラーシート６１と同様であり、画像形成媒体７２の構成は上述した画像形成媒体６２と同様であり、画像形成層７３の構成は上述した画像形成層６３と同様であり、画像７３ａの構成は上述した画像形成層６３ａと同様である。
【０１８９】
平凸レンズ７４は、レンチキュラーシート７１を構成するシリンドリカルレンズ７１ａ上に、当該シリンドリカルレンズ７１ａに接して設ける。
【０１９０】
以上、説明したように、他の凸レンズとしての平凸レンズ７４は、レンチキュラーシート７１のシリンドリカルレンズ７１ａの凸形状を有する側に、シリンドリカルレンズ７１ａと所定距離離れて構成してもよく（図２１（Ａ））、又は、シリンドリカルレンズ７１ａに接して構成してもよい（図２１（Ｃ））。
【０１９１】
（他の実施形態８）
他の実施形態８による画像表示シートは、レンチキュラーシートの上方にメニスカスレンズを備えた構成である。なお、上述した実施形態と同様の構成については記載を省略する。
【０１９２】
図２２は他の実施形態８による画像表示シートの構成説明図である。図２２（Ａ）に示す画像表示シート８００は、レンチキュラーシート８１と、画像形成層８３と、他の凸レンズとしてのメニスカスレンズ８４が必須の構成として設けられる。
【０１９３】
レンチキュラーシート８１は、複数のシリンドリカルレンズ８１ａを並列配置して構成される。画像形成媒体８２はレンチキュラーシート８１のシリンドリカルレンズ８１ａの凸形状を有しない側に設けられ、レンチキュラーシート８１側に画像形成層８３が形成される。画像形成層８３は、虚像観察用画像である絵柄や文字等の画像８３ａが印刷又は転写等により形成された層である。画像形成層８３は、画像形成媒体８２のレンチキュラーシート８１の側に設けられる。
【０１９４】
メニスカスレンズ８４は、レンチキュラーシート８１のシリンドリカルレンズ８１ａの凸形状を有する側に設けられる。メニスカスレンズ８４は、レンチキュラーシート８１と反対側（図中上方）に凸形状を有する。メニスカスレンズ８４の材料は、特に限定されないが、ＰＥＴ（ポリエチレンテレフタレート）、ＰＰ、ＰＥＴＧ（グリコール変性ポリエチレンテレフタレート）、アクリルなどの透明な樹脂材料が用いられる。
【０１９５】
シリンドリカルレンズ８１ａ単独での焦点は、画像形成層８３の下方に収束するように構成されている。シリンドリカルレンズ８１ａ単独でのフォーカスの様子は図２１（Ｂ）のシリンドリカルレンズ７１ａと同様のため図示を省略する。このようなシリンドリカルレンズ８１ａとメニスカスレンズ８４の作用により、メニスカスレンズ８４の上方からの焦点が、画像形成層８３に形成された画像８３ａに合うよう構成される。
【０１９６】
レンチキュラーシート８１のその他の構成は上述したレンチキュラーシート６１と同様である。また、画像形成媒体８２の構成は上述した画像形成媒体６２と同様であり、画像形成層８３の構成は上述した画像形成層６３と同様である。
【０１９７】
以上説明したように、レンチキュラーシート８１のシリンドリカルレンズ８１ａの凸形状を有する側に他の凸レンズとしてのメニスカスレンズ８４を設け、メニスカスレンズ８４とシリンドリカルレンズ８１ａを通して画像８３に焦点が合うよう構成した。これにより、メニスカスレンズ８４とシリンドリカルレンズ８１ａを用いてもスムーズに移動する虚像を観察することができる。観察者が、レンチキュラーシート８１のシリンドリカルレンズ８１ａ表面に直接触れることを防止できる。また、目玉の虚像の場合には、メニスカスレンズ８４の形状により、視覚的及び触感的に眼球に近い画像表示シート８００を構成することができる。
【０１９８】
図２２（Ａ）の例では、画像表示シート８００のメニスカスレンズ８４は、レンチキュラーシート８１のシリンドリカルレンズ８１ａから所定距離離れて構成されるが、本発明の画像表示体に備える画像表示シートは、メニスカスレンズがシリンドリカルレンズ上に接して配置されてもよい。
【０１９９】
図２２（Ｂ）は、メニスカスレンズの配置が異なる画像表示シートの例である。図２２（Ｂ）に示す画像表示シート９００は、レンチキュラーシート９１と、画像形成層９３と、他の凸レンズとしてのメニスカスレンズ９４が必須の構成として設けられる。レンチキュラーシート９１の構成は上述したレンチキュラーシート８１と同様であり、画像形成媒体９２の構成は上述した画像形成媒体８２と同様であり、画像形成層９３の構成は上述した画像形成層８３と同様であり、画像９３ａの構成は上述した画像形成層８３ａと同様である。
【０２００】
メニスカスレンズ９４は、レンチキュラーシート９１を構成するシリンドリカルレンズ９１ａ上に、当該シリンドリカルレンズ９１ａに接して設ける。
【０２０１】
以上、説明したように、他の凸レンズとしてのメニスカスレンズ９４は、レンチキュラーシート９１のシリンドリカルレンズ９１ａの凸形状を有する側に、シリンドリカルレンズ９１ａと所定距離離れて構成してもよく（図２２（Ａ））、又は、シリンドリカルレンズ９１ａに接して構成してもよい（図２２（Ｂ））。
【０２０２】
他の実施形態７、他の実施形態８では、平凸レンズとメニスカスレンズを用いた例について説明したが、本発明の画像表示体に備える画像表示シートは平凸レンズとメニスカスレンズに限定されない。シリンドリカルレンズと共に作用して画像形成層の画像に焦点を合わせることができれば、例えば、凸形状のガラス板、プラスチック板等でもよい。また、上述した他の実施形態２に準じて画像形成層をレンチキュラーシートに直接形成してもよい。また、上述した他の実施形態３に準じて従来公知の立体視シートと組み合わせ、立体画像又はチェンジング画像又はアニメーション画像又はこれらの組み合わせの作用により被観察像を観察可能に構成することもできる。さらに、上述した他の実施形態４及び５に準じて平凸レンズシートを用いてもよい。さらに、他の実施形態７及び他の実施形態８では、平凸レンズ又はメニスカスレンズの凸面がレンチキュラーシートと反対側（図中上方）となるよう構成したが、シリンドリカルレンズと共に作用して画像形成層の画像に焦点を合わせることができれば、平凸レンズ又はメニスカスレンズの凸面がレンチキュラーシート側（図中下方）となるように構成してもよい。上述した他の実施形態４及び５に準じて平凸レンズシートを用いる場合も、平凸レンズ又はメニスカスレンズの凸面は、平凸レンズシートと反対側に位置させても平凸レンズシート側に位置させてもよい。
【０２０３】
本発明の適用範囲は上記実施形態に限定されることはない。本発明は、疑似動画像を表現する画像表示シートを備えた画像表示体に対し、広く適用することができる。例えば、包装紙、ポスター、パンフレット、ポスター、パッケージ、人形、おもちゃ、雑貨、機械器具、さらには屋内外で展示される広告パネル、案内表示板、デジタルサイネージ、等に本発明の画像表示体を適用することもできる。
【符号の説明】
【０２０４】
１０００、２０００、３０００、４０００、５０００、６０００、７０００、８０００、９０００、１００００、１１０００  ・・・画像表示体
１００１、２００１、３００１、４００１、５００１、６００１、７００１、８００１、９００１、１０００１、１１００１  ・・・画像表示シート
１００２、２００２、３００２、４００２、５００２、６００２、７００２、８００２、９００２、１０００２Ａ、１０００２Ｂ、１１００２  ・・・基材
２００３、３００３、４００３、５００３、８００３、９００３  ・・・剥離防止層
２００００  ・・・合わせ型
３００００  ・・・固定型
３０００１  ・・・移動型
３０００２  ・・・シリンダー
１００、２００、３００、４００、５００、６００、７００、８００、９００  ・・・画像表示シート
１、５、８、１０、６１、７１、８１、９１  ・・・レンチキュラーシート
１ａ、５ａ、８ａ、１０ａ、６１ａ、７１ａ、８１ａ、９１ａ  ・・・シリンドリカルレンズ
２、８、１１、１６、６２、７２、８２、９２  ・・・・画像形成媒体
３、６、９、１２、１３、１７、１９、２０、２１、６３、７３、８３、９３  ・・・画像形成層
３ａ、６ａ、６ｂ、１２ａ、１７ａ、１９ａ、１９ｂ、２０ａ、２１ｂ、６３ａ、７３ａ、８３ａ、９３ａ  ・・・画像（虚像観察用画像）
１３ａ、１３ｂ  ・・・画像（他の画像）
６ｃ、１９ｃ  ・・・欠き部
４、７、１８  ・・・虚像
１５  ・・・平凸レンズシート
１５ａ  ・・・平凸レンズ
６４、７４  ・・・平凸レンズ（他の凸レンズ）
８４、９４  ・・・メニスカスレンズ（他の凸レンズ）
【図１】
0005414076.tif 000003
【図２】
0005414076.tif 000004
【図３】
0005414076.tif 000005
【図４】
0005414076.tif 000006
【図５】
0005414076.tif 000007
【図６】
0005414076.tif 000008
【図７】
0005414076.tif 000009
【図８】
0005414076.tif 000010
【図９】
0005414076.tif 000011
【図１０】
0005414076.tif 000012
【図１１】
0005414076.tif 000013
【図１２】
0005414076.tif 000014
【図１３】
0005414076.tif 000015
【図１４】
0005414076.tif 000016
【図１５】
0005414076.tif 000017
【図１６】
0005414076.tif 000018
【図１７】
0005414076.tif 000019
【図１８】
0005414076.tif 000020
【図１９】
0005414076.tif 000021
【図２０】
0005414076.tif 000022
【図２１】
0005414076.tif 000023
【図２２】
0005414076.tif 000024
【図２３】
0005414076.tif 000025
【図２４】
0005414076.tif 000026
【図２５】
0005414076.tif 000027